(57)【要約】【課題】簡単且つ安価な構造で穂先の損傷を確実に防止することができる穂先保持具及び釣竿保護具の提供。【解決手段】この釣竿保持具は、穂先保持具２６及びキャップ２７を有する。穂先保持具２６は、可撓性を有する樹脂からなり、軸部２８及びフランジ２９を有する。フランジ２９の外径は、トップガイド１７の内径よりも大きく設定されている。キャップ２７と穂先保持具２６とは分離されている。キャップ２７は、筒状に形成され、釣竿１１の先端部に被せられる。キャップ２７にゴムバンド３４が設けられており、ゴムバンド３４の緊迫力により軸部２８が釣竿１１に締め付けられて固定される。【選択図】図１
2018148812.tif 000002
【特許請求の範囲】
【請求項１】
釣糸ガイドを有する振出式釣竿が収納状態とされたときに当該振出式釣竿に装着される穂先保持具であって、
各釣糸ガイドに挿通される細長棒状に形成された可撓性を有する主軸と、
当該主軸の一端に設けられ、上記釣糸ガイドのうちトップガイドの内径よりも大きな外形を呈する当接部材とを備えた穂先保持具。
【請求項２】
上記当接部材は、上記主軸の軸方向に弾性変形が可能である請求項１に記載の穂先保持具。
【請求項３】
上記当接部材は、上記主軸の軸方向に弾性変形が可能な弾性部材を備えている請求項１又は２に記載の穂先保持具。
【請求項４】
上記主軸の他端部に釣糸が挿通される貫通孔が設けられている請求項１から３のいずれかに記載の穂先保持具。
【請求項５】
上記主軸は、ポリアミド（ＰＡ）からなる請求項１から４のいずれかに記載の穂先保持具。
【請求項６】
釣糸ガイドを有する振出式釣竿が収納状態とされたときに当該振出式釣竿に装着される釣竿保護具であって、
各釣糸ガイドに挿通される細長棒状に形成された可撓性を有する主軸及び当該主軸の一端に設けられ、上記釣糸ガイドのうちトップガイドの内径よりも大きな外形を呈する当接部材を含む穂先保持具と、
上記振出式釣竿に沿って配置される位置決め部、当該位置決め部に連続して上記釣糸ガイド及び当該釣糸ガイドに挿通された上記穂先保持具を囲繞する筒状部、並びに上記位置決め部に設けられ、上記振出式釣竿を囲繞し得る弾性ベルトを有するキャップとを備えた釣竿保護具。
【請求項７】
上記当接部材は、上記主軸の軸方向に弾性変形が可能である請求項６に記載の釣竿保護具。
【請求項８】
上記当接部材は、上記主軸の軸方向に弾性変形が可能な弾性部材を備えている請求項６又は７に記載の釣竿保護具。
【請求項９】
上記主軸の他端部に釣糸が挿通される貫通孔が設けられている請求項６から８のいずれかに記載の釣竿保護具。
【請求項１０】
上記当接部材は、上記キャップの内底面に着脱自在に設けられている請求項６から９のいずれかに記載の釣竿保護具。
【発明の詳細な説明】
【技術分野】
【０００１】
この発明は、いわゆる釣糸ガイドを有する釣竿が収納状態とされた場合に穂先を保持する穂先保持具の構造並びに穂先の損傷を防止する釣竿保護具の構造に関するものである。
【背景技術】
【０００２】
図８は、一般的な振出形式の釣竿が収納された状態を示す要部拡大図である。
【０００３】
この釣竿１は、複数のブランク２〜５を有し、各ブランク２〜５に適宜釣糸ガイド６が装備されている。釣竿１が収納された状態（同図が示す状態）では、各釣糸ガイド６が釣竿１の長手方向に並ぶ。ブランク２は、釣竿１の穂先を構成し、その外径は０．７ｍｍ〜１．２ｍｍ程度であって機械的強度は非常に低い。そのため、各ブランク２〜５及び各釣糸ガイド６の損傷を防止するために、従来から釣竿１に保護カバー７が装着される（たとえば特許文献１参照）。
【０００４】
保護カバー７は、キャップ７Ａとガイド係止線７Ｂとを有する。ガイド係止線７Ｂは、キャップ７Ａの天面７Ｃに固定されている。同図が示すように、ガイド係止線７Ｂが各釣糸ガイド６に挿通された状態でキャップ７Ａがブランク５に取り付けられる。このとき、キャップ７Ａは、各釣糸ガイド６を収容する。キャップ８はゴムベルト８を備えている。このゴムベルト８がブランク５に巻回されることにより、その緊迫力で保護カバー７がブランク５に固定される。保護カバー７がブランク５に装着されると、各釣糸ガイド６及びブランク２〜５がガイド係止線７Ｂにより保持され、キャップ７Ａが特に穂先を囲繞し保護する。
【０００５】
なお、ガイド係止線７Ｂが設けられていない保護カバーも提案されている。このような保護カバーは、いわゆる廉価版であり、一応穂先を囲繞するが穂先を保護する能力は低い。
【先行技術文献】
【特許文献】
【０００６】
【特許文献１】特許第４８２４６０１号公報
【発明の概要】
【発明が解決しようとする課題】
【０００７】
ところで、釣竿が磯釣りに供される場合、実釣では渡礁の際に釣竿その他の道具が放り投げられる場合がある。また、釣竿の搬送時に誤って落下してしまうことも予想される。そのような場合、同図において矢印９の向きに大きな外力が作用し、保護カバー７が釣竿１に対して矢印９の向きに相対的にスライドして、上記天面７Ｃが釣糸ガイド６と接触することがある。場合によっては、釣糸ガイド６及びブランク２に衝撃力が加わり、これらが損傷するおそれがある。
【０００８】
もっとも、同図が示すように、そのような保護カバー７のスライドを想定して、キャップ７Ａの天面７Ｃとブランク２との間に比較的大きな隙間Ｓが生じるように保護カバ−７を装着することも考えられる。しかし、そのようにした場合、この隙間Ｓ間でブランク２が自由にスライドすることになり、却って穂先の損傷を誘発するおそれがある。また、そのようなブランク２のスライドを防止するために、キャップ７Ａにブランク２を保持する保持プレートを別途設けたり、キャップ７Ａの天面７Ｃとブランク２との間にクッション材を設けたりすることも考えられるが、その場合には保護カバー７の部品点数が増えて構造が複雑になり、コストも上昇するという問題が生じる。
【０００９】
本発明はかかる背景のもとになされたものであって、その目的は、簡単且つ安価な構造で穂先の損傷を確実に防止することができる穂先保持具及び釣竿保護具を提供することである。
【課題を解決するための手段】
【００１０】
(1) 本発明に係る穂先保持具は、釣糸ガイドを有する振出式釣竿が収納状態とされたときに当該振出式釣竿に装着される穂先保持具である。この穂先保持具は、各釣糸ガイドに挿通される細長棒状に形成された可撓性を有する主軸と、当該主軸の一端に設けられ、上記釣糸ガイドのうちトップガイドの内径よりも大きな外形を呈する当接部材とを備える。
【００１１】
釣糸ガイドを備えた振出式釣竿が収納状態となったときは、穂先を構成する第１番節が第２番節の中に収容され、第２番節は第３番節の中に収容され、同様に隣り合う節のうち一方が他方の中に収容される。各節に釣糸ガイドが配置されているが、振出式釣竿が収納状態となったときは、各釣糸ガイドは釣竿の長手方向に沿って密に並ぶ。この状態で穂先保持具の主軸は、その他端を先頭にしてトップガイドから順に各釣糸ガイドに挿通される。この主軸は可撓性を有するから、撓みながらすべての釣糸ガイドに容易に挿通される。これにより、各釣糸ガイドは、上記主軸に沿って配置されると共に当該主軸の弾性力（上記撓みの復元力）により保持される。この主軸の一端に当接部材が設けられているから、主軸が各釣糸ガイドをすり抜けて脱落することが防止される。
【００１２】
この発明に係る穂先保持具が採用された場合、釣竿に装着される保護カバーに従来のガイド係止線７Ｂ（図８参照）は不要である。したがって、保護カバーの構成部品として簡単且つ安価なキャップが採用され、このキャップによって上記穂先保持具、各釣糸ガイド及びブランクが囲繞される。一般にキャップは固定用のゴムベルトを備えているから、このゴムベルトは上記主軸を釣竿に固定するように当該釣竿に巻き付けられる。すなわち、上記主軸は、各釣糸ガイドを当該主軸に沿って整列させ且つ上記ゴムベルトによって当該釣竿に締め付けられている。しかも、この状態で穂先保持具は、上記キャップに連結されていないから、当該キャップの内底面と所定の隙間を空けて離反している。
【００１３】
このように、穂先保持具とキャップの内底面とが離反しているから、仮に釣竿の軸方向に沿う外力がキャップに加わって当該キャップがブランク側にスライドしたとしても、直ちにキャップと穂先とが衝突することはない。加えて、上記主軸は、上記ゴムベルトによって当該釣竿に締め付けられているから、仮に上記キャップがスライドしたとしても、このゴムベルトは、上記主軸を上記外力の向きに引きずるように引っ張る。この主軸に上記当接部材が設けられており、当該当接部材はフランジを形成する。したがって、上記主軸が上記外力の向きに引っ張れられると、上記当接部材は、釣糸ガイドに当接して各釣糸ガイドを軸方向にさらに密に集合させる（各釣糸ガイドを軸方向に詰める）ことになる。これにより、上記キャップと穂先との衝突が確実に回避される。
【００１４】
(2) 上記当接部材は、上記主軸の軸方向に弾性変形が可能であってもよい。
【００１５】
この構成では、仮に上記キャップと上記当接部材とが衝突した場合であっても、穂先に加わる衝撃が緩和される。
【００１６】
(3) 上記当接部材は、上記主軸の軸方向に弾性変形が可能な弾性部材を備えているのが好ましい。
【００１７】
この構成では、仮に上記キャップと上記当接部材とが衝突した場合であっても、穂先に加わる衝撃がなお一層緩和される。
【００１８】
(4) 上記主軸の他端部に釣糸が挿通される貫通孔が設けられているのが好ましい。
【００１９】
この構成では、たとえば釣用リールから延ばされた釣糸が上記貫通孔に挿通された状態で、上記穂先保持具が各釣糸ガイドから引き抜かれることにより、上記釣糸が簡単且つ迅速にすべての釣糸ガイドに通される。
【００２０】
(5) 上記主軸は、ポリアミド（ＰＡ）からなるのが好ましい。
【００２１】
この構成では、主軸に軸力が加わったとしても、当該主軸の変形（伸び）が抑えられる。したがって、主軸が伸びることにより穂先が上記キャップと衝突することが防止される。
【００２２】
(6) 本発明に係る釣竿保護具は、釣糸ガイドを有する振出式釣竿が収納状態とされたときに当該振出式釣竿に装着される釣竿保護具である。この釣竿保護具は、各釣糸ガイドに挿通される細長棒状に形成された可撓性を有する主軸及び当該主軸の一端に設けられ、上記釣糸ガイドのうちトップガイドの内径よりも大きな外形を呈する当接部材を含む穂先保持具と、上記振出式釣竿に沿って配置される位置決め部、当該位置決め部に連続して上記釣糸ガイド及び当該釣糸ガイドに挿通された上記穂先保持具を囲繞する筒状部、並びに上記位置決め部に設けられ、上記振出式釣竿を囲繞し得る弾性ベルトを有するキャップを備えている。
【００２３】
釣糸ガイドを備えた振出式釣竿が収納状態となったときは、穂先を構成する第１番節が第２番節の中に収容され、第２番節は第３番節の中に収容され、同様に隣り合う節のうち一方が他方の中に収容される。各節に釣糸ガイドが配置されているが、振出式釣竿が収納状態となったときは、各釣糸ガイドは釣竿の長手方向に沿って密に並ぶ。この状態で穂先保持具の主軸は、その他端を先頭にしてトップガイドから順に各釣糸ガイドに挿通される。この主軸は可撓性を有するから、撓みながらすべての釣糸ガイドに容易に挿通される。これにより、各釣糸ガイドは、上記主軸に沿って配置されると共に当該主軸の弾性力（上記撓みの復元力）により保持される。この主軸の一端に当接部材が設けられているから、主軸が各釣糸ガイドをすり抜けて脱落することが防止される。
【００２４】
上記キャップが振出式釣竿に取り付けられる。具体的には、位置決め部が振出式釣竿に沿って配置され、筒状部が上記釣糸ガイド及び当該釣糸ガイドに挿通された上記穂先保持具を囲繞する。この穂先保持具が設けられているから、キャップに従来のガイド係止線（図８参照）が設けられていなくてもよい。したがって、キャップは、簡単且つ安価な構造となる。上記弾性ベルトが上記主軸を上記振出式釣竿に固定するように当該釣竿に巻き付けられる。すなわち、上記主軸は、各釣糸ガイドを当該主軸に沿って整列させ且つ上記弾性ベルトによって当該振出式釣竿に締め付けられている。しかも、この状態で上記穂先保持具は、上記キャップに連結されていないから、当該キャップの内底面と所定の隙間を空けて離反している。
【００２５】
このように、穂先保持具とキャップの内底面とが離反しているから、仮に振出式釣竿の軸方向に沿う外力がキャップに加わって当該キャップがスライドしたとしても、直ちにキャップと穂先とが衝突することはない。加えて、上記主軸は、上記弾性ベルトによって振出式釣竿に締め付けられているから、仮に上記キャップがスライドしたとしても、この弾性ベルトは、上記主軸を上記外力の向きに引きずるように引っ張る。この主軸に上記当接部材が設けられており、当該当接部材はフランジを形成する。したがって、上記主軸が上記外力の向きに引っ張れられると、上記当接部材は、釣糸ガイドに当接して各釣糸ガイドを軸方向にさらに密に集合させる（各釣糸ガイドを軸方向に詰める）ことになる。これにより、上記キャップと穂先との衝突が確実に回避される。
【００２６】
(7) 上記当接部材は、上記主軸の軸方向に弾性変形が可能であってもよい。
【００２７】
この構成では、仮に上記キャップと上記当接部材とが衝突した場合であっても、穂先に加わる衝撃が緩和される。
【００２８】
(8) 上記当接部材は、上記主軸の軸方向に弾性変形が可能な弾性部材を備えているのが好ましい。
【００２９】
この構成では、仮に上記キャップと上記当接部材とが衝突した場合であっても、穂先に加わる衝撃がなお一層緩和される。
【００３０】
(9) 上記主軸の他端部に釣糸が挿通される貫通孔が設けられているのが好ましい。
【００３１】
この構成では、たとえば釣用リールから延ばされた釣糸が上記貫通孔に挿通された状態で、上記穂先保持具が各釣糸ガイドから引き抜かれることにより、上記釣糸が簡単且つ迅速にすべての釣糸ガイドに通される。
【００３２】
(10)上記当接部材は、上記キャップの内底面に着脱自在に設けられているのが好ましい。
【００３３】
この構成によれば、振出式釣竿から穂先保持具及びキャップが取り外された場合に、両者が連結され得る。したがって、実釣においてこれらの紛失が抑制される。
【発明の効果】
【００３４】
この発明によれば、簡単且つ安価な構造で穂先保持具が構成されるから、振出式釣竿の穂先の損傷が簡単且つ確実に防止される。
【図面の簡単な説明】
【００３５】
【図１】図１は、本発明の一実施形態に係る釣竿保護具１０の正面図である。
【図２】図２は、本発明の一実施形態に係る穂先保持具２６の斜視図である。
【図３】図３は、本発明の一実施形態に係るキャップ２７の斜視図である。
【図４】図４は、釣竿保護具１０の装着要領を示す図である。
【図５】図５は、本発明の一実施形態の第１の変形例に係る穂先保持具の要部拡大図である。
【図６】図６は、本発明の一実施形態の第２の変形例に係る穂先保持具の要部拡大図である。
【図７】図７は、本発明の一実施形態の他の変形例に係る釣竿保護具の分解図である。
【図８】図８は、一般的な振出形式の釣竿が収納された状態を示す要部拡大図である。
【発明を実施するための形態】
【００３６】
以下、本発明の好ましい実施形態が、適宜図面が参照されながら説明される。なお、本実施の形態は、本発明に係る釣竿保護具の一態様にすぎず、本発明の要旨を変更しない範囲で実施態様が変更されてもよいことは言うまでもない。
【００３７】
図１は、本発明の一実施形態に係る釣竿保護具１０の正面図である。同図では、釣竿保護具１０が振出式釣竿１１（以下、「釣竿１１」と称される。）に装着された状態が示されている。
【００３８】
釣竿１１は、本実施形態では、第１番節１２、第２番節１３、第３番節１４、元上節１５及び元節１６を有する。第１番節１２は、トップガイド１７のほか釣糸ガイド１８〜２０を有し、第２番節１３は、釣糸ガイド２１、２２を有し、第３番節１４、元上節１５及び元節１６は、それぞれ釣糸ガイド２３〜２５を有している。同図が示すように釣竿１１が収納状態となったときは、元上節１５が元節１６に収容され、第３番節１４、第２番節１３及び第１番節１２は、それぞれ、元上節１５、第３番節１４及び第２番節１３に収容される。トップガイド１７及び各釣糸ガイド１８〜２５は、同図が示すように釣竿１１の長手方向に沿って密に整列する。なお、釣竿１１の仕様は同図に示すものに限定されず、釣竿１１を構成するブランクの数、各ブランクに装着される釣糸ガイドの数は、特に限定されるものではない。
【００３９】
釣竿保護具１０は、収納状態とされた釣竿１１に装着される。釣竿保護具１０は、穂先保持具２６及びキャップ２７を有する。穂先保持具２６及びキャップ２７は互いに分離されており、釣竿保護具１０は、二つの部品から構成される。本実施形態では、キャップ２７は、透光性を有する樹脂からなり、後に詳述されるように釣竿１１に装着される。したがって、同図では、キャップ２７の内側に配置される各節１２〜１６及び釣糸ガイド１７〜２５等は、キャップ２７の外側からも看取されるように描かれている。
【００４０】
図２は穂先保持具２６の斜視図であり、図３はキャップ２７の斜視図である。
【００４１】
穂先保持具２６は、樹脂（典型的にはポリアミド（ＰＡ））からなり、可撓性を有する。但し、このような弾性係数が大きい樹脂から構成されるので、外力（特に引張力）が作用した場合の撓み（伸び）は小さい。穂先保持具２６は、同図が示すように細長の部材であり、主軸２８及びフランジ２９（特許請求の範囲に記載された「当接部材」に相当）を有する。主軸２８は、本実施形態では細長の円柱状を呈し、外径は２．０ｍｍである。主軸２８の外径は、１．０ｍｍ〜３．０ｍｍに設定され得る。なお、穂先保持具２６を構成する材料は、ポリアミド（ＰＡ）に代えてシリコーン樹脂その他のエラストマーも採用され得る。
【００４２】
主軸２８の一端にフランジ２９が設けられており、このフランジ２９は、主軸２８と一体的に形成されている。フランジ２９の外径は８．０ｍｍである。フランジ２９の外径は、２．０ｍｍ〜１５．０ｍｍに設定され得るが、上記トップガイド１７の内径よりも大きく設定されればよい。フランジ２９の肉厚寸法は、２．０ｍｍである。この肉厚寸法は、１．０ｍｍ〜３．０ｍｍに設定され得る。フランジ２９の外縁３０に面取加工が施されている。この面取加工は省略されてもよい。
【００４３】
主軸２８の下端部３１に貫通孔３２が設けられている。この貫通孔３２は、主軸２８を径方向に貫通しており、内径は０．５ｍｍ〜２．５ｍｍに設定される。もっとも、この貫通孔３２は省略されてもよい。
【００４４】
主軸２８は円柱状の部材でなくてもよい。主軸２８の断面形状は特に限定されるものではなく、要するに、主軸２８は細長棒状に形成されていればよい。また、フランジ２９も円板状に形成される必要はなく、要するに主軸２８の一端に設けられた鍔を形成していればよい。
【００４５】
図３が示すように、キャップ２７は、ケース３３とゴムバンド３４（特許請求の範囲に記載された「弾性ベルト」に相当）を有する。
【００４６】
ケース３３は、アクリル樹脂、アクリロニトリルブタジエンスチレン共重合体（ＡＢＳ）、ポリカーボネート（ＰＣ）等からなり、透光性を有する。もっとも、ケース３３が透光性を有していなくてもよい。図１及び図３が示すように、ケース３３、全体として筒状に形成されており、前面３５が大きく切りかかれている。すなわち、ケース３３の前面３５のうち所定の上部位置３６から下端３８に至る領域３９が切りかかれており、大きな開口４０（図３参照）が設けられている。この開口４０は２つの部位に分かれている。開口４０は、上記上部位置３６から上記前面３５の中間位置３７までの領域４３に設けられた第１開口４１と、この第１開口４１に隣接し、上記中間位置３７から上記下端３８までの領域４４に設けられた第２開口４２とを有する。第１開口４１は、上記前面３５の３０％〜５０％を占め、第２開口４２は、上記前面３５の２０％〜８０％を占める。
【００４７】
本実施形態では、ケース３３の外形形状は扁平した８角形であり、内壁面も外形形状に対応して同様の形状である。但し、ケース３３に上記開口４０が設けられているので、上記領域４３では、前面３５側の３つの面が切り欠かれ、上記領域４４では、前面３５から後面４５側に５つの面が切りかかれている。すなわち、ケース３３の上記領域４４は、後面４５及び当該後面４５の両側に連続する２つの辺部４６（特許請求の範囲に記載された「位置決め部」に相当）のみを有する。この２つの辺部４６は、図３が示すように屋根形状を呈し、後述されるように釣竿１１と当接する。ケース３３の後面４５に突起５０が設けられている。この突起５０は、本実施形態では円柱状に形成されているが、突起５０の外形形状は特に限定されるものではなく、要するに上記後面４５に突設されていればよい。この突起５０は、後述されるように、ゴムバンド３４と係合する。
【００４８】
このキャップ２７は、図１が示すように収納状態の釣竿１１に被せられる。トップガイド１７及び各釣糸ガイド１７〜２５は、開口４０側に向いて整列した状態となる。本実施形態では、トップガイド１７及び釣糸ガイド１７、１８は、キャップ２７の先端部（開口４０が設けられていない領域）に収容され、その他の釣糸ガイド１９〜２５は領域４３内に配置される。上記先端部（開口４０が設けられていない領域）及び上記領域４３は、特許請求の範囲に記載された「筒状部」に相当する。もっとも、かかる配置に限定されるものではなく、少なくともトップガイド１７がキャップ２７の先端部（開口４０が設けられていない領域）に収容されていればよい。
【００４９】
したがって、キャップ２７が釣竿１１に被せられた状態では、上記先端部（開口４０が設けられていない領域）及び上記領域４３によって、トップガイド１７及び釣糸ガイド１７、１８並びにこれらに挿通された穂先保持具２６が囲繞される。また、上記２つの辺部４６は、釣竿１１の外周面に沿って配置される。すなわち、辺部４６は、異なる向きから釣竿１１の外周面に当接し、釣竿１１は、２つの辺部４６と安定的に当接する。
【００５０】
ケース３３の外形形状は、上記扁平した８角形に限定されるものではない。要するに、釣竿１１が収納状態となったときに、トップガイド１７及び釣糸ガイド１７、１８並びにこれらに挿通された穂先保持具２６が囲繞され得る筒状であればよい。また、上記辺部４６は、前述のようにキャップ２７を釣竿１１に位置決めするものであるが、釣竿１１の外周面に安定的に当接し得るものであれば、他の形状であってもよい。
【００５１】
ゴムバンド３４は、上記辺部４６に取り付けられている。ゴムバンド３４は既知の形状であり、基部４７及び締付部４８を有する。基部４７は矩形の平板状に形成され、図３が示すように上記辺部４６の内側に配置される。締付部４８は、この基部４７に連続している。同図では示されていないが、辺部４６にスリット状の窓部が設けられており、締付部４８は、この窓部に挿通されてケース３３の外側に延びている。上記基部４７が辺部４６の内側に配置されることにより、辺部４６は、より安定的に釣竿１１と当接することができるという利点もある。締付部４８の端部に複数の小孔４９が設けられている。この小孔４９は締付部４８を貫通している。
【００５２】
図４は、釣竿保護具１０の装着要領を示す図である。
【００５３】
釣竿１１が収納状態となったときは、トップガイド１７及び各釣糸ガイド１８〜２５は、同図及び図１が示すように長手方向に沿って密に並ぶ。この状態で穂先保持具２６が、トップガイド１７及び各釣糸ガイド１８〜２５に挿通される。具体的には、主軸２８は、他端部３１を先頭にしてトップガイド１７から順に矢印５１の向きに沿って各釣糸ガイド１８〜２５に挿通される。主軸２８は可撓性を有するから、撓みながらすべての釣糸ガイド１７〜２５に簡単に挿通される。これにより、フランジ２９がトップガイド１７に当接し、トップガイド１７及び各釣糸ガイド１８〜２５は、図１が示すように主軸２８に沿って配置される。しかも、主軸２８の弾性力（上記撓みの復元力）によって、トップガイド１７及び各釣糸ガイド１８〜２５が保持される。なお、上記フランジ２９がトップガイド１７に当接するから、主軸２８が各釣糸ガイド１７〜２５をすり抜けて脱落することはない。
【００５４】
この状態でキャップ２７が釣竿１１に取り付けられる。具体的には、辺部４６が釣竿１１の外周面に当接されると共に、トップガイド１７及び釣糸ガイド１７、１８がキャップ２７の先端部に収容され、その他の釣糸ガイド１９〜２５が領域４３内に配置される。このとき、穂先保持具２６は、ケース３３から離反されて配置されるのが好ましく、ケース３３の内底面５５とフランジ２９との間に所定の隙間Ｓが生じる。釣人は、図１が示すように主軸２８を釣竿１１の外周面に当接させ、ゴムバンド３４を引っ張って釣竿１１に巻き付ける。上記突起５０がゴムバンド３４の小孔４９に押し込まれることにより、主軸２８は、ゴムバンド３４の緊迫力により、釣竿１１と共に締め付けられる。すなわち、キャップ２７及び穂先保持具２６は、ゴムバンド３４の緊迫力によって釣竿１１に固定される。
【００５５】
このように、穂先保持具２６とケース３３の内底面５５とが離反しているから、仮に釣竿１１に対して軸方向に沿う外力（たとえば、上面５２に下向きの衝撃力）が作用した場合、ケース３３は同向きにスライドしても直ちにキャップ２７と穂先とが衝突することはない。しかも、本実施形態では、主軸２８がゴムベルト３４によって釣竿１１に締め付けられているから、ケース３３がスライドしたとしても、ゴムベルト３４と共に主軸２８も上記外力の向きに引きずられる。主軸２８にフランジ２９が設けられているから、主軸２８が引きずられることにより、トップガイド１７及び各釣糸ガイド１８〜２５はさらに密に集合することになる。したがって、ケース３３と釣竿１１の穂先との衝突が確実に回避される。
【００５６】
ところで、上記穂先保持具２６が独立して設けられることにより、ケース３３が主軸２８を備える必要はない。したがって、キャップ２７の構造が簡素化され、コスト安価に製造され得るという利点もある。
【００５７】
本実施形態では、上記主軸２８の他端部３１に貫通孔３２が設けられている。穂債保持具２６がトップガイド１７及び各釣糸ガイド１８〜２５に挿通されている状態で、釣人は、釣用リールから釣糸を延ばして貫通孔３２に挿通し、そのまま当該穂先保持具２６を各釣糸ガイド１７〜２５から引き抜くと、上記釣糸が簡単且つ迅速にすべての釣糸ガイド１７〜２５に通される。
【００５８】
本実施形態では、上記主軸２８は、ポリアミド（典型的にはＰＡ６６）から構成されるので、もし主軸２８に引張力が加わったとしても、主軸２８の伸びが抑えられる。したがって、主軸２８が伸びることにより、穂先がキャップ２７と衝突することが防止される。もっとも、ＰＡ６６に代えて同等の物性を示す他のポリアミド（ＰＡ）、シリコーン樹脂その他のエラストマーも採用され得る。
【００５９】
図５は、本実施形態の第１の変形例に係る穂先保持具の要部拡大図である。
【００６０】
本変形例に係る穂先保持具５６が上記実施形態に係る穂先保持具２６と異なるところは、フランジ５７は、緩衝材５８を備えている点である。この緩衝材５８は、円柱状のスポンジからなる。緩衝材５８を構成する材料は低弾性のゴム又は樹脂が好ましい。なお、緩衝材５８の外形は、特に円柱状に限定されるものではなく、他の形状でもよい。
【００６１】
図６は、本実施形態の第２の変形例に係る穂先保持具の要部拡大図である。
【００６２】
本変形例に係る穂先保持具５９が上記実施形態に係る穂先保持具２６と異なるところは、フランジ６０が緩衝性を備えている点である。具体的には、同図（ａ）が示すように、フランジ６０が細長の円筒状を呈し、その周面６１が蛇腹構造を有している。これにより、フランジ６０は、主軸２８の軸方向に容易に変形することができる。なお、フランジ６０の形状は円筒状に限定されるものではなく、他の筒状であってもよい。また、同図（ｂ）が示すように、フランジ６２が主軸２８とは別部材として構成され、低弾性材料により弾性変形し易い形状に形成されていてもよい。同図では、フランジ６２は、主軸２８側から漸次縮径された円柱状に形成されている。フランジ６２の材料は、たとえば発泡ウレタン、シリコーン樹脂その他のエラストマーが採用され得る。
【００６３】
上記各変形例に係る穂先保持具５６、５９によれば、フランジ５７、６０、６２が主軸２８の軸方向に弾性的に変形するので、キャップ２７とフランジ５７、６０、６２とが衝突した場合であっても、穂先に加わる衝撃が緩和される。
【００６４】
図７は、他の変形例に係る釣竿保護具６５の分解図である。
【００６５】
この変形例に係る釣竿保護具６５が上記実施形態に係る釣竿保護具１０と異なるところは、穂先保持具２６がキャップ２７に対して着脱自在に設けられている点である。具体的には、キャップ２７のケース３３の内底面５５にマグネット６６が取り付けられ、穂先保持具２６のフランジ２９の端面に保持プレート６７が設けられている。この保持プレート６７は、鉄鋼材料その他の強磁性体金属からなる。もっとも、ケース３３の内底面５５に保持プレート６７が取り付けられ、フランジ２９の端面にマグネット６６が設けられていてもよいし、両者がマグネットであってもよい。さらに、マグネット６６及び保持プレート６７に代えて面ファスナーが採用されてもよい。
【００６６】
この釣竿保護具６５によれば、釣竿１１から穂先保持具及びキャップが取り外された場合に、釣人は、両者を連結させておくことができる。したがって、実釣においてこれらを紛失することが抑制される。
【符号の説明】
【００６７】
１０・・・釣竿保護具
１１・・・釣竿
１２・・・第１番節
１３・・・第２番節
１４・・・第３番節
１５・・・元上節
１６・・・元節
１７・・・トップガイド
１８〜２５・・・釣糸ガイド
２６・・・穂先保持具
２７・・・キャップ
２８・・・主軸
２９・・・フランジ
３１・・・他端部
３２・・・貫通孔
３３・・・ケース
３４・・・ゴムバンド
４６・・・辺部
４９・・・小孔
５０・・・突起
５１・・・矢印
５２・・・上面
５５・・・内底面
５６・・・穂先保持具
５７・・・フランジ
５８・・・緩衝材
５９・・・穂先保持具
６０・・・フランジ
６１・・・周面
６５・・・釣竿保護具
６６・・・マグネット
６７・・・保持プレート
【図１】
2018148812.tif 000003
【図２】
2018148812.tif 000004
【図３】
2018148812.tif 000005
【図４】
2018148812.tif 000006
【図５】
2018148812.tif 000007
【図６】
2018148812.tif 000008
【図７】
2018148812.tif 000009
【図８】
2018148812.tif 000010